(57)【要約】【課題】  採光性を有し、かつ防犯性が高い出入口戸を提供する。【解決手段】  戸体と、袖部とを備え、袖部は、戸体の戸先側に隣接していて、目隠し部と、窓部と、収納部を有しており、目隠し部は、戸体の錠の高さ位置の室外側に設けてあり、窓部は、目隠し部の上下に設けてあり、収納部は、目隠し部の室内側に設けてある。【選択図】      図１
2014025225.tif 000002
【特許請求の範囲】
【請求項１】
戸体と、袖部とを備え、袖部は、戸体の戸先側に隣接していて、目隠し部と、窓部と、収納部を有しており、目隠し部は、戸体の錠の高さ位置の室外側に設けてあり、窓部は、目隠し部の上下に設けてあり、収納部は、目隠し部の室内側に設けてあることを特徴とする出入口戸。
【発明の詳細な説明】
【技術分野】
【０００１】
本発明は、戸体と袖部とを備える出入口戸に関する。
【背景技術】
【０００２】
従来、戸体と袖部とを備える出入口戸（玄関ドア）において、袖部に採光用のガラス板を嵌め込んだものがある（特許文献１）。
【先行技術文献】
【特許文献】
【０００３】
【特許文献１】特開平８−２１１５９号公報
【発明の概要】
【発明が解決しようとする課題】
【０００４】
しかしながら、特許文献１のような玄関ドアにおいては、袖部のガラス板を割られると、室外側から戸体のサムターンに手が届くので、防犯上問題があった。
【０００５】
本発明は、上記事情を鑑みたものであり、採光性を有し、かつ防犯性が高い出入口戸を提供することを目的とする。
【課題を解決するための手段】
【０００６】
本発明は、戸体と、袖部とを備え、袖部は、戸体の戸先側に隣接していて、目隠し部と、窓部と、収納部を有しており、目隠し部は、戸体の錠の高さ位置の室外側に設けてあり、窓部は、目隠し部の上下に設けてあり、収納部は、目隠し部の室内側に設けてあることを特徴とする。
【発明の効果】
【０００７】
本発明によれば、袖部の、戸体の錠の高さ位置に目隠し部を設け、その上下に窓部を設けたことにより、上下からの採光性を有するとともに、窓部を破壊して手を入れても錠には届かないので、防犯性が高い。また、目隠し部により視線が遮断されるので、室外側から内部の様子が見えにくい。さらに、錠の高さ位置に収納部を設けてあるので、出入する際に用いる鍵などの取り出し及び収納が容易である。そして、収納部が室内側に突出する分だけ、より室外側から錠に手が届きにくくなる。
【図面の簡単な説明】
【０００８】
【図１】（ａ）は出入口戸の室外側面図、（ｂ）は出入口戸の室内側面図である。
【図２】（ａ）は図１のＡ−Ａ線断面図、（ｂ）は図１のＢ−Ｂ線断面図である。
【図３】図１のＣ−Ｃ線断面図である。
【発明を実施するための形態】
【０００９】
以下、本発明の実施の形態を図面に基づいて説明する。なお、本発明の出入口戸は、開き戸と引戸の両方を含むものであるが、ここでは開き戸であって、玄関ドアとして用いられるものの例を挙げる。また、以下において上下左右とは、図１（ａ）における上下左右を示すものとする。この出入口戸は、図１〜図３に示すように、躯体の矩形開口部の四周に取り付けた枠体７と、枠体７に納めた戸体１及び袖部２とを備える。枠体７には、上下に延びる中間縦枠７１を設けてあり、中間縦枠７１は、開口部を左右に約２：５に分割している。さらに、中間縦枠７１の室内側面には、同じ左右幅の延長部材７２を取り付けてあって、延長部材７２は後述の収納部５の奥行分だけ室内側に突出している。そして、戸体１は、中間縦枠７１によって分割された開口部の広い方（図１（ａ）の右側）に取り付けてあり、中間縦枠７１側が戸先側、躯体側が吊元側である。戸体１の戸先側部には、二つの錠（上側錠６ａ及び下側錠６ｂ）を設けてある。上側錠６ａは上下方向の略中央に位置しており、いわゆるシリンダ錠であって、室外側に鍵穴があり、室内側にサムターン６１ａがある。一方、下側錠６ｂは下端部から三分の一よりやや下側に位置しており、上側錠６ａと同様のシリンダ錠であるが、下側錠６ｂのサムターン６１ｂは、つまみを取り外すことができる防犯サムターンとなっている。さらに、戸体１の戸先側部の室外側面及び室内側面には、それぞれ引手８ａ、８ｂを取り付けてある。室外側の引手８ａは、上下に延びる棒状のものであり、室内側の引手８ｂは、矩形平板状のもので、上側錠６ａの直下に位置している。
【００１０】
一方、袖部２は、中間縦枠７１によって分割された開口部の狭い方（図１（ａ）の左側）に設けてあって、目隠し部３と、窓部（上側窓部４ａ及び下側窓部４ｂ）と、収納部５とを備えるものである。より詳しくは、開口部には一枚のガラスパネル２１が嵌め込んであり、ガラスパネル２１の上下方向中央部の室外側が、略矩形平板形状の目隠し部３により覆われている。ここで、目隠し部３の上端は、戸体１の上側錠６ａよりも高い位置となり、下端は、上側錠６ａよりも低い位置となる（目隠し部３と上側錠６ａとの位置関係についての詳細は後述する）。そして、目隠し部３の上側に露出したガラスパネル２１部分が上側窓部４ａ、下側に露出したガラスパネル２１部分が下側窓部４ｂとなっている。なお、目隠し部３の幅は袖部２の幅に略等しく、高さは袖部２の高さの略三分の一であり、目隠し部３の高さと、上側窓部４ａ及び下側窓部４ｂの高さは略等しくなっている。また、戸体１の室外側面には、目隠し部３と同じ高さに、目隠し部３と同じ意匠の化粧板１１ａを取り付けてあって、目隠し部３と化粧板１１ａとが一連に見えるようになっている。ここで、目隠し部３及び化粧板１１ａの意匠は自由に選択できるが、横木目調など、左右につながる意匠とすれば、特に目隠し部３と化粧板１１ａの一体感が強くなるため好ましい。
【００１１】
さらに、ガラスパネル２１の室内側には、収納部５を設けてある。収納部５は、出入口戸の室内側左方の躯体の見込面９と、延長部材７２との間に納まるように設けてあって（図２（ｂ））、扉５１と、天板５２と、底板５３と、背板５４からなる。背板５４は、幅が袖部２の幅に略等しく、高さは袖部２の高さの略三分の一であって、目隠し部３の大きさと略同じであり、目隠し部３の丁度裏側（室内側）に位置している。背板５４の上下には天板５２及び底板５３を設けてある。天板５２及び底板５３は、躯体の見込面９及び延長部材７２とほぼ同じ長さだけ、ガラスパネル２１の室内側面から室内側に突出している。こうして、天板５２、底板５３、背板５４、延長部材７２及び躯体の見込面９によって、室内側に開口した直方体形状の空間が形成され、この開口部に扉５１を設けてある。扉５１は背板５４と略同じ大きさ（すなわち、目隠し部３と略同じ大きさ）であって、中間縦枠７１（延長部材７２）側が戸先側、躯体側が吊元側となっている。なお、この扉５１は押し込むことで開くいわゆるプッシュオープン型のものであって、引手は設けられておらず、外観は単なる板のように見える。また、収納部５（扉５１、天板５２、底板５３）の意匠は目隠し部３の意匠と同じであって、さらに、戸体１の室内側面には、収納部５と同じ高さに、収納部５と同じ意匠の化粧板１１ｂを取り付けてあって、収納部５と化粧板１１ｂとが一連に見えるようになっている。
【００１２】
このように構成した出入口戸によれば、袖部２の上下部分に上側窓部４ａ及び下側窓部４ｂを設けたので、高い採光性を有する。特に、下部に下側窓部４ｂを設けたことにより、足元が暗くならない。そして、戸体１の上側錠６ａの高さ位置に目隠し部３を設けたので、上側窓部４ａ又は下側窓部４ｂを破壊して手を入れても室内側のサムターン６１ａには届かず、防犯性が高い。なお、下側錠６ｂの高さ位置には目隠し部３が存在しないが、下側錠６ｂのサムターン６１ｂは、つまみを取り外すことができる防犯サムターンとなっているので、防犯上の問題はない。そして、このようにサムターン６１ａに手が届かないような構成としたので、上下の窓部に防犯のための格子などを設ける必要がなく、すっきりとした外観となり意匠性が良好である。また、目隠し部３により視線が遮断されるので、室外側から内部の様子が見えにくい。さらに、上側錠６ａの高さ位置に収納部５を設けてあるので、出入する際に用いる鍵や、宅配物の受け取りに用いる印鑑などの取り出し及び収納が容易である。なお、収納部５の扉５１はプッシュオープン型のもので、引手が設けられておらず、また戸体１の化粧板１１ｂと意匠を揃えてあるので、一見するとデザイン上の構造のように思われ、開閉可能な扉であることがわからなくなっているため、鍵や印鑑などを安心して収納できる。そして、収納部５及び延長部材７２が室内側に突出する分だけ、より室外側から上側錠６ａに手が届きにくくなっている。
【００１３】
ここで、目隠し部３と上側錠６ａとの位置関係について、詳細に検討する。上述のとおり、本発明の出入口戸は、目隠し部３を設けたことにより、上下の窓部を破壊しても室内側のサムターン６１ａに手が届かないようにしたものであるが、目隠し部３の上端や下端が上側錠６ａに近接していると、手が届いてしまうおそれがあるため、上側錠６ａから目隠し部３の上端及び下端までの距離をある程度以上確保しなければならない。本実施形態においては、図１（ａ）に示すように、上側錠６ａが目隠し部３の上下方向中央より上側寄りに位置しているので、目隠し部３の上端から上側錠６ａまでの距離Ｌが問題となる。そこで、ガラスパネル２１を取り外した状態の出入口戸において、被験者が室外側から上側窓部４ａに手を入れ、距離Ｌがどの程度であればサムターン６１ａに手が届かないのかを確認した。まず前提として、日本人男性の平均身長は１７３ｃｍ、腕の長さは７３．６ｃｍ、肘から指先（中指）までの長さは４４．０ｃｍである。そこで第一に、平均に略一致する体格の被験者Ａ（身長１７３ｃｍ、肘〜指先４４．２ｃｍ）により実験を行った。その結果、距離Ｌが３５０ｍｍ以上であれば、サムターン６１ａには手が届かなかった。第二に、平均よりも大きな体格の被験者Ｂ（身長１８１ｃｍ、肘〜指先４７．３ｃｍ）により実験を行った。その結果、距離Ｌが３５０ｍｍでは、サムターン６１ａに手が届いたが、４００ｍｍ以上であれば、サムターン６１ａに手が届かなかった。これらの結果から、目隠し部３の上端から上側錠６ａまでの距離Ｌは、４００ｍｍ以上とすることが望ましいといえる。なお、上記実験に用いた出入口戸は、目隠し部３を有するが、収納部５及び延長部材７２は有していないものであった。実際の出入口戸は、収納部５及び延長部材７２が室内側に突出する分だけ、室外側からサムターン６１ａまでの距離が長くなるので、より手が届きにくく、防犯性が高いことになる。
【００１４】
本発明は、上記の実施形態に限定されない。たとえば、戸体は開き戸ではなく、引戸であってもよい。また、目隠し部及び戸体の室外側の化粧板と、収納部及び戸体の室内側の化粧板とで、意匠を異ならせて、室外側（外観）と室内側（内観）の印象を変えるようにしてもよい。
【００１５】
窓部については、本実施形態のように、一つの嵌め殺し窓を目隠し部で覆って、その上下をそれぞれ上側窓部及び下側窓部とするもののほか、上側窓部と下側窓部を、それぞれ独立した嵌め殺し窓にしてもよいし、また、開き窓やルーバーなど、他の窓種にしてもよい。開き窓やルーバーにすれば、採光に加えて、採風も行うことができる。さらに、開き窓にした場合において、上下で窓の開きの向きを互い違いにすれば（たとえば、上側窓部が左開きで、下側窓部が右開き、など）、風の出入口を作って、風向きに関係なく効率よく玄関空間の空気を循環させることができる。また、窓部の室内側にブラインドやロールカーテンを設けてもよく、これにより、採光量を調節できるとともに、室外側からの視線を確実に遮断することができる。そして、このように袖部に採光や採風の機能を備えることで、戸体に必ずしも採光や採風の機能を備える必要がなくなるため、戸体のデザインの幅が広がる。
【００１６】
また、収納部の内部には、棚を設けたり、鍵などを掛けるフックを設けたりしてもよい。さらに、メモなどを貼ることができる磁石面を設けて、伝言板として用いることもできる。また、収納部の扉は、開き戸ではなく引戸であってもよい。
【符号の説明】
【００１７】
１  戸体
２  袖部
３  目隠し部
４ａ  上側窓部（窓部）
４ｂ  下側窓部（窓部）
５  収納部
６ａ  上側錠（錠）
【図１】
2014025225.tif 000003
【図２】
2014025225.tif 000004
【図３】
2014025225.tif 000005